(57)【要約】【課題】作業を容易にして工数削減を図ることが可能な、また、構造を複雑化せずに導電路の飛び出しを防止することも可能な、コルゲートチューブなどを提供する。【解決手段】コルゲートチューブは、管軸に直交する方向の断面形状が長円形状又は楕円形状になる平形コルゲートチューブ１２であり、この平形コルゲートチューブ１２は、外側に配置される外側チューブ１４と、外側チューブ１４の内側に配置される内側チューブ１５とを有する大小二重構造のものである。また、外側チューブ１４及び内側チューブ１５は、それぞれ長径方向にのびる長い側部としての一対の長側部１８、１９、２５、２６を有してなるものである。さらに、外側チューブ１４の一方の長側部１９及び内側チューブ１５の一方の長側部２５には、それぞれ管軸方向にのびて開放形状になるスリット２２、２９が形成されてなるものである。【選択図】図２
2016111743.tif 000002
【特許請求の範囲】
【請求項１】
一又は複数本の導電路を収容する樹脂製のコルゲートチューブにおいて、
当該コルゲートチューブは、管軸に直交する方向の断面形状が長円形状又は楕円形状になる平形コルゲートチューブであり、該平形コルゲートチューブは、外側に配置される外側チューブと、該外側チューブの内側に配置される内側チューブとを有する大小二重構造のものであり、
前記外側チューブ及び前記内側チューブは、それぞれ長径方向にのびる長い側部としての一対の長側部を有し、
前記外側チューブの一方の前記長側部及び前記内側チューブの一方の前記長側部には、それぞれ前記管軸方向にのびて開放形状になるスリットが形成され、
前記外側チューブの前記スリット及び前記内側チューブの前記スリットを対向させて組み付けを行うと、前記外側チューブの他方の長側部の内面に前記内側チューブの前記スリットが対向するとともに、前記内側チューブの他方の前記長側部の外面に前記外側チューブの前記スリットが対向する
ことを特徴とするコルゲートチューブ。
【請求項２】
請求項１に記載のコルゲートチューブにおいて、
前記外側チューブは、一対の前記長側部を繋ぐ円弧状の部分としての一対の円弧部を有し、該円弧部の円弧中心及び前記長径方向に沿った中心軸を基準として４５〜９０度の位置で前記スリットが形成される
ことを特徴とするコルゲートチューブ。
【請求項３】
一又は複数本の導電路を収容する樹脂製のコルゲートチューブの製造方法において、
前記コルゲートチューブは、管軸に直交する方向の断面形状が長円形状又は楕円形状になる平形コルゲートチューブであり、該平形コルゲートチューブは、外側に配置される外側チューブと、該外側チューブの内側に配置される内側チューブとを有する大小二重構造のものであり、且つ、前記外側チューブ及び前記内側チューブは、それぞれ長径方向にのびる長い側部としての一対の長側部を有してなるものであり、且つ、前記外側チューブの一方の前記長側部及び前記内側チューブの一方の前記長側部には、それぞれ前記管軸方向にのびて開放形状になるスリットが形成されてなるものであり、
外側チューブ用金型及び内側チューブ用金型を用いて前記外側チューブ及び前記内側チューブを個別に樹脂成形する別体タイプの第一工程と、該別体タイプの第一工程により成形された前記外側チューブ及び前記内側チューブを組み付けて前記大小二重構造にする別体タイプの第二工程とを含む、
又は、内外チューブ一体成形品用金型を用いて前記外側チューブ及び前記内側チューブを一体状態に成形する一体タイプの第一工程と、該一体タイプの第一工程により成形された内外チューブ一体成形品を前記外側チューブ及び前記内側チューブに分離する一体タイプの第二工程と、該一体タイプの第二工程により分離された前記外側チューブ及び前記内側チューブを組み付けて前記大小二重構造にする一体タイプの第三工程とを含む
ことを特徴とするコルゲートチューブの製造方法。
【請求項４】
一又は複数本の導電路を収容するコルゲートチューブの製造に用いられ、且つ、上型と下型とを備えて構成される樹脂成形金型において、
前記コルゲートチューブは、管軸に直交する方向の断面形状が長円形状又は楕円形状になる平形コルゲートチューブであり、該平形コルゲートチューブは、外側に配置される外側チューブと、該外側チューブの内側に配置される内側チューブとを有する大小二重構造のものであり、且つ、前記外側チューブ及び前記内側チューブは、それぞれ長径方向にのびる長い側部としての一対の長側部を有してなるものであり、且つ、前記外側チューブの一方の前記長側部及び前記内側チューブの一方の前記長側部には、それぞれ前記管軸方向にのびて開放形状になるスリットが形成されてなるものであり、
前記上型及び前記下型のいずれか一方には、前記外側チューブを成形する部分が形成されるとともに、いずれか他方には、前記内側チューブを成形する部分が形成され、さらに、前記上型及び前記下型が重なり合うと、前記外側チューブの前記スリット及び前記内側チューブの前記スリットが連通するような状態で前記外側チューブと前記内側チューブとが一体化してなる内外チューブ一体成形品が成形される部分に前記上型及び前記下型が形成される、
又は、前記上型及び前記下型のいずれか一方には、前記内外チューブ一体成形品の左半分を成形する部分が形成されるとともに、いずれか他方には、前記内外チューブ一体成形品の右半分を成形する部分が形成され、さらに、前記上型及び前記下型が重なり合うと、前記内外チューブ一体成形品が成形される部分に前記上型及び前記下型が形成される
ことを特徴とする内外チューブ一体成形品用金型。
【請求項５】
一又は複数本の導電路を収容する樹脂製のコルゲートチューブの組み付け方法において、
前記コルゲートチューブは、管軸に直交する方向の断面形状が長円形状又は楕円形状になる平形コルゲートチューブであり、該平形コルゲートチューブは、外側に配置される外側チューブと、該外側チューブの内側に配置される内側チューブとを有する大小二重構造のものであり、且つ、前記外側チューブ及び前記内側チューブは、それぞれ長径方向にのびる長い側部としての一対の長側部を有してなるものであり、且つ、前記外側チューブの一方の前記長側部及び前記内側チューブの一方の前記長側部には、それぞれ前記管軸方向にのびて開放形状になるスリットが形成されてなるものであり、
前記大小二重構造にするため、前記外側チューブの前記スリット及び前記内側チューブの前記スリットを対向させる組み付けの第一工程と、前記外側チューブの他方の長側部の内面に前記内側チューブの前記スリットが対向するとともに、前記内側チューブの他方の前記長側部の外面に前記外側チューブの前記スリットが対向するように、前記外側チューブ及び／又は前記内側チューブに押圧荷重を掛ける組み付けの第二工程とを含む
ことを特徴とするコルゲートチューブの組み付け方法。
【請求項６】
自動車に配索されるワイヤハーネスにおいて、
請求項１又は２に記載のコルゲートチューブと、該コルゲートチューブに収容される一又は複数本の導電路とを含む
ことを特徴とするワイヤハーネス。
【発明の詳細な説明】
【技術分野】
【０００１】
本発明は、管軸に直交する方向の断面形状が長円形状又は楕円形状になる平形コルゲートチューブと、この製造方法とに関する。また、上型と下型とを備えて平形コルゲートチューブの製造に用いられる樹脂成形金型と、平形コルゲートチューブの組み付け方法と、平形コルゲートチューブを構成に含んでなるワイヤハーネスとに関する。
【背景技術】
【０００２】
自動車等の車両には、電気的な接続を行うためのワイヤハーネスが配索される。ワイヤハーネスは、細い電線を束ねてなるものが広く知られる。また、近年では、ハイブリッド自動車用や電気自動車用としての高圧電線からなるものも知られる。下記特許文献１に開示されたワイヤハーネスは、複数本の電線と、電線保護用の外装部材とを含んで構成される。ワイヤハーネスは、長尺なものに形成される。外装部材は、この断面形状が円形で、外観が蛇腹管形状に形成される。また、外装部材は、管軸方向のスリットがない長尺な筒形状に形成される。外装部材は、上記形状であることから、コルゲートチューブとして形成される。
【先行技術文献】
【特許文献】
【０００３】
【特許文献１】特開２００７−６６８２５号公報
【発明の概要】
【発明が解決しようとする課題】
【０００４】
上記従来技術にあっては、長尺な外装部材の一端側の開口から他端側の開口に向けて複数本の電線を収容する作業（挿通作業）が必要である。外装部材の内部空間が大きければ電線の挿通は容易であるが、配索スペースの都合上、上記内部空間を大きくとることができない理由があることから、従来技術の外装部材にあっては挿通作業が繁雑になり工数が掛かってしまうという問題点を有する。
【０００５】
そこで、本願発明者は、上記問題点の解消のために次のような外装部材の提供を検討してみた。図１２（ａ）に示す如く、断面円形状のコルゲートチューブ１を外装部材とする。このコルゲートチューブ１は、外側に配置される外側チューブ２と、外側チューブ２の内側に配置される内側チューブ３とを備えて構成される。本願発明者が検討した外装部材は、大小二重構造のコルゲートチューブ１である。
【０００６】
外側チューブ２には、スリット４が形成される。そして、このスリット４を介して複数本の電線５を収容した状態の内側チューブ３が収容される。内側チューブ３には、複数本の電線５を収容するためのスリット６が形成される。複数本の電線５は、内側チューブ３の一端側の開口から他端側の開口に向けて挿通されるのではなく、スリット６に差し込むだけで収容される。内側チューブ３のスリット６は、外側チューブ２により覆われる。
【０００７】
しかしながら、上記コルゲートチューブ１にあっては、曲げや振動等の影響を受けて図１２（ｂ）に示す如くスリット４、６同士の位置が一致した状態になると、電線５が外に飛び出してしまうという虞があることが分かった。本願発明者は、外側チューブ２、及び／又は内側チューブ３に図示しないテープ巻きを施したり、図１２（ｃ）に示す如く、内側チューブ３に構造部７（内外が動かないようにロックする構造の部分）を追加したりすることを検討してみたが、作業が繁雑になったり構造が複雑になったりするという問題点が生じてしまうことが分かった。
【０００８】
本発明は、上記した事情に鑑みてなされたもので、作業を容易にして工数削減を図ることが可能な、また、構造を複雑化せずに導電路の飛び出しを防止することも可能な、コルゲートチューブを提供することを課題とする。また、本発明は、コルゲートチューブの製造方法、内外チューブ一体成形品用金型、コルゲートチューブの組み付け方法、及びワイヤハーネスを提供することも課題とする。
【課題を解決するための手段】
【０００９】
上記課題を解決するためになされた請求項１に記載の本発明は、一又は複数本の導電路を収容する樹脂製のコルゲートチューブにおいて、当該コルゲートチューブは、管軸に直交する方向の断面形状が長円形状又は楕円形状になる平形コルゲートチューブであり、該平形コルゲートチューブは、外側に配置される外側チューブと、該外側チューブの内側に配置される内側チューブとを有する大小二重構造のものであり、前記外側チューブ及び前記内側チューブは、それぞれ長径方向にのびる長い側部としての一対の長側部を有し、前記外側チューブの一方の前記長側部及び前記内側チューブの一方の前記長側部には、それぞれ前記管軸方向にのびて開放形状になるスリットが形成され、前記外側チューブの前記スリット及び前記内側チューブの前記スリットを対向させて組み付けを行うと、前記外側チューブの他方の長側部の内面に前記内側チューブの前記スリットが対向するとともに、前記内側チューブの他方の前記長側部の外面に前記外側チューブの前記スリットが対向することを特徴とする。
【００１０】
請求項２に記載の本発明は、請求項１に記載のコルゲートチューブにおいて、前記外側チューブは、一対の前記長側部を繋ぐ円弧状の部分としての一対の円弧部を有し、該円弧部の円弧中心及び前記長径方向に沿った中心軸を基準として４５〜９０度の位置で前記スリットが形成されることを特徴とする。
【００１１】
また、上記課題を解決するためになされた請求項３に記載の本発明は、一又は複数本の導電路を収容する樹脂製のコルゲートチューブの製造方法において、前記コルゲートチューブは、管軸に直交する方向の断面形状が長円形状又は楕円形状になる平形コルゲートチューブであり、該平形コルゲートチューブは、外側に配置される外側チューブと、該外側チューブの内側に配置される内側チューブとを有する大小二重構造のものであり、且つ、前記外側チューブ及び前記内側チューブは、それぞれ長径方向にのびる長い側部としての一対の長側部を有してなるものであり、且つ、前記外側チューブの一方の前記長側部及び前記内側チューブの一方の前記長側部には、それぞれ前記管軸方向にのびて開放形状になるスリットが形成されてなるものであり、外側チューブ用金型及び内側チューブ用金型を用いて前記外側チューブ及び前記内側チューブを個別に樹脂成形する別体タイプの第一工程と、該別体タイプの第一工程により成形された前記外側チューブ及び前記内側チューブを組み付けて前記大小二重構造にする別体タイプの第二工程とを含む、又は、内外チューブ一体成形品用金型を用いて前記外側チューブ及び前記内側チューブを一体状態に成形する一体タイプの第一工程と、該一体タイプの第一工程により成形された内外チューブ一体成形品を前記外側チューブ及び前記内側チューブに分離する一体タイプの第二工程と、該一体タイプの第二工程により分離された前記外側チューブ及び前記内側チューブを組み付けて前記大小二重構造にする一体タイプの第三工程とを含むことを特徴とする。
【００１２】
また、上記課題を解決するためになされた請求項４に記載の本発明は、一又は複数本の導電路を収容するコルゲートチューブの製造に用いられ、且つ、上型と下型とを備えて構成される樹脂成形金型（内外チューブ一体成形品用金型）において、前記コルゲートチューブは、管軸に直交する方向の断面形状が長円形状又は楕円形状になる平形コルゲートチューブであり、該平形コルゲートチューブは、外側に配置される外側チューブと、該外側チューブの内側に配置される内側チューブとを有する大小二重構造のものであり、且つ、前記外側チューブ及び前記内側チューブは、それぞれ長径方向にのびる長い側部としての一対の長側部を有してなるものであり、且つ、前記外側チューブの一方の前記長側部及び前記内側チューブの一方の前記長側部には、それぞれ前記管軸方向にのびて開放形状になるスリットが形成されてなるものであり、前記上型及び前記下型のいずれか一方には、前記外側チューブを成形する部分が形成されるとともに、いずれか他方には、前記内側チューブを成形する部分が形成され、さらに、前記上型及び前記下型が重なり合うと、前記外側チューブの前記スリット及び前記内側チューブの前記スリットが連通するような状態で前記外側チューブと前記内側チューブとが一体化してなる内外チューブ一体成形品が成形される部分に前記上型及び前記下型が形成される、又は、前記上型及び前記下型のいずれか一方には、前記内外チューブ一体成形品の左半分を成形する部分が形成されるとともに、いずれか他方には、前記内外チューブ一体成形品の右半分を成形する部分が形成され、さらに、前記上型及び前記下型が重なり合うと、前記内外チューブ一体成形品が成形される部分に前記上型及び前記下型が形成されることを特徴とする。
【００１３】
また、上記課題を解決するためになされた請求項５に記載の本発明は、一又は複数本の導電路を収容する樹脂製のコルゲートチューブの組み付け方法において、前記コルゲートチューブは、管軸に直交する方向の断面形状が長円形状又は楕円形状になる平形コルゲートチューブであり、該平形コルゲートチューブは、外側に配置される外側チューブと、該外側チューブの内側に配置される内側チューブとを有する大小二重構造のものであり、且つ、前記外側チューブ及び前記内側チューブは、それぞれ長径方向にのびる長い側部としての一対の長側部を有してなるものであり、且つ、前記外側チューブの一方の前記長側部及び前記内側チューブの一方の前記長側部には、それぞれ前記管軸方向にのびて開放形状になるスリットが形成されてなるものであり、前記大小二重構造にするため、前記外側チューブの前記スリット及び前記内側チューブの前記スリットを対向させる組み付けの第一工程と、前記外側チューブの他方の長側部の内面に前記内側チューブの前記スリットが対向するとともに、前記内側チューブの他方の前記長側部の外面に前記外側チューブの前記スリットが対向するように、前記外側チューブ及び／又は前記内側チューブに押圧荷重を掛ける組み付けの第二工程とを含むことを特徴とする。
【００１４】
また、上記課題を解決するためになされた請求項６に記載の本発明は、自動車に配索されるワイヤハーネスにおいて、請求項１又は２に記載のコルゲートチューブと、該コルゲートチューブに収容される一又は複数本の導電路とを含むことを特徴とする。
【発明の効果】
【００１５】
請求項１に記載された本発明によれば、それぞれスリットが形成された外側チューブ及び内側チューブを有する大小二重構造の平形コルゲートチューブであることから、一又は複数本の導電路の収容を、スリットを介して内側チューブに容易に行うことができる。また、本発明によれば、導電路を収容した状態の内側チューブのスリットが外側チューブによって覆われることから、さらには、この外側チューブと内側チューブの形状が平形になることから、曲げや振動等の影響を受けてもスリット同士の位置が一致することはなく、結果、導電路の飛び出しを防止することができる。従って、本発明によれば、作業を容易にして工数削減を図ることが可能な、また、構造を複雑化せずに導電路の飛び出しを防止することも可能な、コルゲートチューブ（ワイヤハーネスにおける外装部材）を提供することができるという効果を奏する。
【００１６】
請求項２に記載された本発明によれば、請求項１の効果に加え、次のような効果を更に奏する。すなわち、外側チューブのスリットに関し、より良い形成位置を設定することから、外側チューブと内側チューブとの組み付けをし易くしたり外れ難くしたりすることができるという効果を奏する。
【００１７】
請求項３に記載された本発明によれば、請求項１のコルゲートチューブの構造を対象にした製造方法の発明である。本発明によれば、二つのタイプの工程からなる製造方法があり、これら二つのタイプのうちいずれを採用しても、作業を容易にして工数削減を図ることができるという効果を奏する。また、構造を複雑化せずに導電路の飛び出しを防止することもできるという効果を奏する。
【００１８】
請求項４に記載された本発明によれば、請求項１のコルゲートチューブの構造、及び請求項３の製造方法を対象にした樹脂成形金型の発明である。本発明によれば、外側チューブ及び内側チューブを一体状態に成形する際に好適な樹脂成形金型を提供することができるという効果を奏する。
【００１９】
請求項５に記載された本発明によれば、請求項１のコルゲートチューブの構造、及び請求項３の製造方法を対象にした組み付け方法の発明である。本発明によれば、大小二重構造の平形コルゲートチューブの組み付けを容易に行うことが可能な方法を提供することができるという効果を奏する。
【００２０】
請求項６に記載された本発明によれば、請求項１又は２のコルゲートチューブを構成に含むことから、より良いものとしてワイヤハーネスを提供することができるという効果を奏する。
【図面の簡単な説明】
【００２１】
【図１】本発明の平形コルゲートチューブ及びワイヤハーネスの構成図である。
【図２】図１の平形コルゲートチューブ及びワイヤハーネスのＡ−Ａ線断面図である。
【図３】図１及び図２の平形コルゲートチューブ及びワイヤハーネスの組み付け方法を示す模式図であり、（ａ）は組み付けの第一工程の図、（ｂ）は組み付けの第二工程の図である。
【図４】本発明の平形コルゲートチューブの製造方法を示す模式図であり、（ａ）は別体タイプの第一工程の図（スリット形成前）、（ｂ）はスリット形成に係る説明図、（ｃ）は別体タイプの第一工程の図（スリット形成後）である。
【図５】外装部材製造装置を示す図であり、（ａ）は装置外観斜視図、（ｂ）は（ａ）の成形部の模式図である。
【図６】本発明の平形コルゲートチューブの他の例となる製造方法を示す模式図であり、（ａ）は一体タイプの第一工程の図、（ｂ）は一体タイプの第二工程の図である。
【図７】内外チューブ一体成形品用金型を示す模式図であり、（ａ）は第一の例となる上型及び下型の図、（ｂ）は第二の例となる上型及び下型の図である。
【図８】本発明の平形コルゲートチューブの他の例となる組み付け方法を示す模式図であり、（ａ）は組み付けの第一工程及び第二工程の図、（ｂ）は組み付け後の図である。
【図９】本発明の平形コルゲートチューブの更に他の例となる組み付け方法を示す模式図であり、（ａ）は組み付けの第一工程の図、（ｂ）は組み付けの第二工程の図、（ｃ）は組み付け後の図である。
【図１０】本発明の平形コルゲートチューブの更に他の例となる組み付け方法を示す模式図であり、（ａ）は組み付けの第一工程及び第二工程の図、（ｂ）は組み付け後の図である。
【図１１】本発明の平形コルゲートチューブの更に他の例となる組み付け方法を示す模式図であり、（ａ）は組み付けの第一工程の図、（ｂ）は組み付けの第二工程の図、（ｃ）は組み付け後の図である。
【図１２】（ａ）は従来例の問題点の解消のために検討したコルゲートチューブの模式図、（ｂ）は（ａ）から新たに生じた問題点を示す模式図、（ｃ）は（ｂ）の問題点の解消のために検討したコルゲートチューブの模式図である。
【発明を実施するための形態】
【００２２】
コルゲートチューブは、管軸に直交する方向の断面形状が長円形状又は楕円形状になる平形コルゲートチューブであり、この平形コルゲートチューブは、外側に配置される外側チューブと、外側チューブの内側に配置される内側チューブとを有する大小二重構造のものである。また、外側チューブ及び内側チューブは、それぞれ長径方向にのびる長い側部としての一対の長側部を有してなるものである。さらに、外側チューブの一方の長側部及び内側チューブの一方の長側部には、それぞれ管軸方向にのびて開放形状になるスリットが形成されてなるものである。
【実施例】
【００２３】
以下、図面を参照しながら実施例を説明する。図１は本発明の平形コルゲートチューブ及びワイヤハーネスの構成図である。また、図２は図１の平形コルゲートチューブ及びワイヤハーネスのＡ−Ａ線断面図である。
【００２４】
＜ワイヤハーネス１１について＞
図１及び図２において、引用符号１１で示すワイヤハーネスは、例えば自動車の所望の位置に配索される。ワイヤハーネス１１は、外装部材である平形コルゲートチューブ１２と、この平形コルゲートチューブ１２に収容される複数本の導電路１３とを含んで構成される。先ず、各構成部材について説明をする。
【００２５】
＜導電路１３について＞
導電路１３は、公知の高圧電線又は低圧電線であって、導体と、この導体を被覆する絶縁体とを備えて構成される（一例である。例えば更にシースやシールド部材を含んで構成されてもよい）。導電路１３は、例えば長尺なものに形成される。
【００２６】
導体は、銅や銅合金、或いはアルミニウムやアルミニウム合金により製造される。導体に関しては、素線を撚り合わせてなる導体構造のものや、断面矩形又は丸形となる棒状の導体構造（例えば平角単心や丸単心となる導体構造であり、この場合、電線自体も棒状となる）のもののいずれであってもよいものとする。本実施例においては、断面円形状のものに形成される。以上のような導体は、この外面に絶縁性の樹脂材料からなる絶縁体が押出成形される。
【００２７】
尚、導電路１３として、本実施例では公知のものを採用するが、この限りでないものとする。すなわち、公知のバスバーに絶縁体を設けて高電圧の導電路としたもの等を採用してもよい。本実施例での本数は、一例であるものとする。
【００２８】
絶縁体は、熱可塑性樹脂材料を用いて導体の外周面に押出成形される。絶縁体は、断面円形状の被覆として形成される。絶縁体は、所定の厚みを有して形成される。上記熱可塑性樹脂としては、公知の様々な種類のものが使用可能であり、例えばポリ塩化ビニル樹脂やポリエチレン樹脂、ポリプロピレン樹脂などの高分子材料から適宜選択される。
【００２９】
＜平形コルゲートチューブ１２について＞
図１及び図２において、平形コルゲートチューブ１２は、本発明のコルゲートチューブに相当するものであって、管軸に直交する方向の断面形状（Ａ−Ａ線断面の形状）が長円形状（又は、楕円形状や略長方形状等であってもよい）になる平形に形成される。また、平形コルゲートチューブ１２は、後述する外装部材製造装置５１（図５参照）により成形される樹脂成形品であって、導電路１３を収容保護するため長尺なものに形成される。このような平形コルゲートチューブ１２は、外側に配置される平形の外側チューブ１４と、この外側チューブ１４の内側に配置される平形の内側チューブ１５とを備えて構成される。平形コルゲートチューブ１２は、外側チューブ１４と内側チューブ１５とにより大小二重構造のものに形成される。平形コルゲートチューブ１２は可撓性を有する。
【００３０】
＜外側チューブ１４について＞
外側チューブ１４は、上記から分かるように、平形コルゲートチューブ１２の外側構成部材として形成される。外側チューブ１４は、蛇腹管形状に形成される（一例であり、可撓性を有すれば特に形状は限定されないものとする）。具体的には、周方向の蛇腹凹部１６及び蛇腹凸部１７を有するとともに、これら蛇腹凹部１６及び蛇腹凸部１７が管軸方向に交互に連続するように形成される。尚、特に図示しないが、蛇腹凹部１６及び蛇腹凸部１７を形成することから、外側チューブ１４は、この外面のみならず内面も蛇腹管形状に形成される。
【００３１】
ここで、図中の矢印Ｐを管軸方向、矢印Ｑを長径方向、矢印Ｒを短径方向と定義する。矢印Ｑの長径方向は、矢印Ｐの管軸方向に直交する方向になる。また、矢印Ｒの短径方向は、矢印Ｐの管軸方向及び矢印Ｑの長径方向にそれぞれ直交する方向になる。
【００３２】
外側チューブ１４は、長径方向にのびる長い側部としての一対の長側部１８、１９と、この一対の長側部１８、１９の左端同士及び右端同士を繋ぐ円弧状の部分としての一対の円弧部２０、２１とを有する。本実施例においては、長側部１８が上側に配置され、長側部１９が下側に配置される。また、円弧部２０は左側に配置され、円弧部２１は右側に配置される。円弧部２０、２１は、線対称に配置される。また、長側部１８、１９も線対称に配置される。長側部１８、１９は、下側に配置される長側部１９のみにスリット２２が形成される。
【００３３】
スリット２２は、管軸方向にのびて開放形状になるような部分に形成される。スリット２２は、この部分を介して内側チューブ１５を収容することができるように形成される。別な言い方をすれば、内側チューブ１５を内部に組み付けることができるように形成される。尚、スリット２２の形成位置（左右の端部位置）に関しては後述するものとする。
【００３４】
＜内側チューブ１５について＞
内側チューブ１５は、平形コルゲートチューブ１２の内側構成部材として形成される。また、内側チューブ１５は、上記から分かるように、外側チューブ１４のスリット２２を介してこの内部に収容される部材として形成される。内側チューブ１５は、本実施例において、外側チューブ１４の８０％程度の大きさ（サイズ）に形成される（一例であるものとする。但し、内側チューブ１５のサイズが小さすぎると、外側チューブ１４に対して外れ易くなってしまう）。内側チューブ１５は、外側チューブ１４と同様に蛇腹管形状に形成される（一例であり、可撓性を有すれば特に形状は限定されないものとする）。具体的には、周方向の蛇腹凹部２３及び蛇腹凸部２４を有するとともに、これら蛇腹凹部２３及び蛇腹凸部２４が管軸方向に交互に連続するように形成される。本実施例においては、蛇腹凹部２３及び蛇腹凸部２４が外側チューブ１４の蛇腹管形状になった内面に噛み合うような形状及びサイズに形成される（一例であり、噛み合わなくても当然によいものとする）。
【００３５】
内側チューブ１５は、長径方向にのびる長い側部としての一対の長側部２５、２６と、この一対の長側部２５、２６の左端同士及び右端同士を繋ぐ円弧状の部分としての一対の円弧部２７、２８とを有する。本実施例においては、長側部２５が上側に配置され、長側部２６が下側に配置される。また、円弧部２７は左側に配置され、円弧部２８は右側に配置される。円弧部２７、２８は、線対称に配置される。また、長側部２５、２６も線対称に配置される。長側部２５、２６は、上側に配置される長側部２５のみにスリット２９が形成される。
【００３６】
スリット２９は、管軸方向にのびて開放形状になるような部分に形成される。スリット２９は、この部分を介して複数本の導電路１３を収容することができるように形成される。別な言い方をすれば、複数本の導電路１３を管軸方向に沿って挿通せずに組み付けをすることができるように形成される。尚、スリット２９の形成位置（左右の端部位置）に関しては後述するものとする。
【００３７】
次に、平形コルゲートチューブ１２及びワイヤハーネス１１の組み付け方法について説明をする。図３は組み付け方法を示す模式図である。
【００３８】
＜組み付け方法について＞
平形コルゲートチューブ１２及びワイヤハーネス１１は、次のような工程を経て組み付けられる。すなわち、組み付けの第一工程と、組み付けの第二工程とを順に経て組み付けられる。以下、簡単に説明をする。
【００３９】
＜組み付けの第一工程について＞
図３（ａ）において、この工程では先ず、スリット２９を上にした状態に内側チューブ１５を準備する。次に、スリット２９を介して複数本の導電路１３を内側チューブ１５の内側に収容する。複数本の導電路１３は、内側チューブ９の一端側の開口から他端側の開口に向けて挿通されるのではなく（管軸方向に挿通されるのではなく）、スリット２９に単に差し込むだけで収容される。特に長尺な場合、スリット２９を介しての収容が工数低減に有効である。次に、スリット２２を下にした状態で外側チューブ１４を準備する。そして、この外側チューブ１４を、スリット２２が内側チューブ１５のスリット２９に対向するように配置する。すなわち、内側チューブ１５の上側に外側チューブ１４を配置する（内側チューブ１５の上に外側チューブ１４を重ねる）。尚、対向するスリット２２、２９に関し補足説明をすると、内側チューブ１５のスリット２９は外側チューブ１４のスリット２２よりも大きな開放状態に形成されないものとする。
【００４０】
＜組み付けの第二工程について＞
この工程では、外側チューブ１４の長側部１８を下側に押し付けるようにして押圧荷重を掛ける。具体的には、作業者又は機械により押圧荷重を掛ける。この時、外側チューブ１４に撓み等の弾性変形が生じる。そして、所定の状態まで弾性変形が生じた後に嵌合し、外側チューブ１４の長側部１８の内面に内側チューブ１５のスリット２９が対向するとともに、内側チューブ１５の長側部２６の外面に外側チューブ１４のスリット２２が対向する状態になる（図３（ｂ）参照）。以上により、大小二重構造の平形コルゲートチューブ１２の組み付けが完了する。この後、例えば導電路１３の端末加工や、クリップ等の取り付けを行うと、ワイヤハーネス１１の組み付けも（ワイヤハーネス１１の製造も）完了する。
【００４１】
続いて、平形コルゲートチューブ１２の製造方法について説明をする。図４は製造方法を示す模式図、図５は外装部材製造装置を示す図、図６は他の例となる平形コルゲートチューブ１２の製造方法を示す模式図、図７は内外チューブ一体成形品用金型を示す模式図である。
【００４２】
＜製造方法について＞
平形コルゲートチューブ１２は、次のような工程を経て製造される。すなわち、別体タイプの第一工程と、別体タイプの第二工程とを順に経て製造される（一体タイプの工程もあり、これは図６及び図７を参照しながら後述する）。以下、簡単に説明をする。
【００４３】
＜別体タイプの第一工程について＞
図４（ａ）において、この工程では先ず、スリット２２を形成する前の外側チューブ１４′と、同じくスリット２９を形成する前の内側チューブ１５′とを後述する外装部材製造装置５１（図５参照）により個別に成形する。外装部材製造装置５１では、図示しない外側チューブ用金型と内側チューブ用金型とを用いる。次に、図４（ｂ）に示す如く、スリット２２、２９の形成位置Ｂを設定する。スリット２２、２９の形成位置Ｂは、外側チューブ１４′及び内側チューブ１５′の円弧部２７、２８、円弧部２０、２１の円弧中心と、長径方向に沿った中心軸Ｃとを基準にして、角度θが４５〜９０度の位置で設定される。具体的には、スリット２２が角度θ＝４５〜９０度の位置で設定され、スリット２９は角度θ＝９０度の位置で設定される。このような角度θで形成位置Ｂが設定されると、外側チューブ１４と内側チューブ１５との組み付けがし易くなったり、外れ難くなったりするという効果を奏する。
【００４４】
ここで上記角度θが４５〜９０度であることに関し、表１を参照しながら補足説明をする。
【００４５】
【表１】
2016111743.tif 000003
【００４６】
表１は、平形コルゲートチューブ１２の欄と、この平形コルゲートチューブ１２に係る外れ難さの欄とに大きく分けられる。大きく分けられたうち、平形コルゲートチューブ１２の欄では、外側チューブ１４のスリット２２の形成位置Ｂを設定するための角度θ（度）の欄と、内側チューブ１５のスリット２９の形成位置Ｂを設定するための角度θ（度）の欄とがある。外側チューブ１４のスリット２２側の欄では、１５度刻みで角度θが０〜９０度で記載されてある。尚、内側チューブ１５のスリット２９側の欄では、角度θが全て９０度に記載されてある。
【００４７】
一方、外れ難さの欄では、屈曲評価（評価１）を行った時の結果欄と、捻り評価（評価２）を行った時の結果欄と、屈曲評価及び捻り評価（評価３）を一緒に行った時の結果欄とがある。各結果欄では、○、△、×いずれかの印が記載されてある。
【００４８】
結果欄が○の場合では、評価を行った時に外側チューブ１４と内側チューブ１５の外れが起こらないことを意味し、△の場合では、時々、外側チューブ１４と内側チューブ１５の外れが起こってしまうことを意味する。そして、×の場合では、ほぼ全回にわたり外側チューブ１４と内側チューブ１５の外れが起こってしまうことを意味する。
【００４９】
結果欄を見ると、全て○になるのは、外側チューブ１４のスリット２２の形成位置Ｂに係る角度θ（度）が４５〜９０度の場合である。従って、このような角度θで設定されてスリット２２、２９が形成されることが好ましいと言える。
【００５０】
尚、表１に示していないが、内側チューブ１５のスリット２９の形成位置Ｂに関しては、上記９０度以外であってもよいものとする。
【００５１】
次に、形成位置Ｂに基づきスリット加工を行い、スリット２２、２９を形成する。すなわち、外側チューブ１４及び内側チューブ１５の状態にする。
【００５２】
＜別体タイプの第二工程について＞
この工程は、上記組み付けの第二工程と同じである。すなわち、内側チューブ１５の上に外側チューブ１４を重ね合わせた状態から、図３（ｂ）に示す如く、外側チューブ１４の長側部１８を下側に押し付けるようにして、作業者又は機械で押圧荷重を掛ける。この時、外側チューブ１４に撓み等の弾性変形が生じる。そして、所定の状態まで弾性変形が生じた後に嵌合し、外側チューブ１４の長側部１８の内面に内側チューブ１５のスリット２９が対向するとともに、内側チューブ１５の長側部２６の外面に外側チューブ１４のスリット２２が対向する状態になる。以上により、大小二重構造の平形コルゲートチューブ１２の製造が完了する。
【００５３】
＜外装部材製造装置５１について＞
図５において、外装部材製造装置５１は、外装部材としての平形コルゲートチューブ１２を構成する外側チューブ１４、内側チューブ１５、後述する内外チューブ一体成形品３０を樹脂成形するための装置である。この外装部材製造装置５１は、樹脂押出部５２と、成形部５３と、冷却部５４と、切断部５５とを備えて構成される。
【００５４】
樹脂押出部５２の下流側には、成形部５３が連続する。また、成形部５３の下流側には、冷却部５４が連続する。切断部５５は、冷却部５４の端末に配設される（装置端末に配置される）。切断部５５は、外側チューブ１４、内側チューブ１５、後述する内外チューブ一体成形品３０を所定長さにする際に作動する。
【００５５】
樹脂押出部５２は、樹脂材料を投入する部分としてのホッパ５６と、このホッパ５６に連続して水平方向に伸びる押出部本体５７と、押出部本体５７の端部から突出するダイス５８とを備えて構成される。ダイス５８は、樹脂材押出口５９を有し、この樹脂材押出口５９は、成形部５３の入口６０内に配置される。
【００５６】
成形部５３は、入口６０から出口６１にかけて直線的に樹脂成形を行う部分であって、一対の成形構造部６２を有する。この一対の成形構造部６２は、ダイス５８の樹脂材押出口５９から導出された柔軟で筒状の樹脂材６３（樹脂材料）の左右両側に配置されて一対となる。一対の成形構造部６２は、樹脂材６３を所定形状に成形することができるように構成される。
【００５７】
成形構造部６２は、樹脂材６３の進行方向に沿って一対となるタイミングプーリー６４と、この一対のタイミングプーリー６４により図中矢印方向へ移動する無端ベルト６５と、無端ベルト６５に取り付けられて移動する金型ブロック集合体６６とを備えて構成される。
【００５８】
金型ブロック集合体６６は、複数の金型ブロック６７（上型、下型を含む）を有する。各金型ブロック６７は、無端ベルト６５の直線部分において隙間無しの状態に並べられる。各金型ブロック６７は、無端ベルト６５に対し取り替え自在に固定される。各金型ブロック６７は、無端ベルト６５により移動する。そして、金型ブロック６７の型開きにより、所定形状に形成された外側チューブ１４、内側チューブ１５、後述する内外チューブ一体成形品３０の各部分が矢印方向へと押し出される。
【００５９】
尚、上記外装部材製造装置５１の構成や、この装置による製造方法は一例であるものとする。上記装置はバキューム式のものであるが、この他に例えばブロー式のものもある。
【００６０】
続いて更に、平形コルゲートチューブ１２の他の例となる製造方法について説明をする。図６は他の例となる製造方法を示す模式図、図７は内外チューブ一体成形品用金型を示す模式図である。
【００６１】
＜他の例となる製造方法について＞
平形コルゲートチューブ１２は、次のような工程を経て製造される。すなわち、一体タイプの第一工程と、一体タイプの第二工程と、一体タイプの第三工程とを順に経て製造される。以下、簡単に説明をする。
【００６２】
＜一体タイプの第一工程について＞
図６（ａ）において、この工程では先ず、後述する内外チューブ一体成形品用金型６８（図７参照）を用いて内外チューブ一体成形品３０を成形する。具体的には、外側チューブ１４と内側チューブ１５とを一体状態にした形状の内外チューブ一体成形品３０を成形する。
【００６３】
内外チューブ一体成形品３０の成形は、外装部材製造装置５１（図５参照）に内外チューブ一体成形品用金型６８をセットして行う。内外チューブ一体成形品用金型６８は、図７に示す如く上型６９（６９′）、下型７０（７０′）を含んで構成される。
【００６４】
図７（ａ）に示す内外チューブ一体成形品用金型６８の場合は、上型６９に内側チューブ１５の成形部分７１が形成される。また、下型７０には、外側チューブ１４の成形部分７２が形成される。尚、上型６９及び下型７０が重なり合うと、外側チューブ１４のスリット２２及び内側チューブ１５のスリット２９が連通するような状態で外側チューブ１４と内側チューブ１５とが一体化してなる内外チューブ一体成形品３０の成形部分７３が形成される。
【００６５】
一方、図７（ｂ）に示す内外チューブ一体成形品用金型６８の場合は、上型６９′に内外チューブ一体成形品３０の左半分に対する成形部分７４が形成される。また、下型７０′には、内外チューブ一体成形品３０の右半分に対する成形部分７５が形成される。尚、上型６９′及び下型７０′が重なり合うと、内外チューブ一体成形品３０の成形部分７６が形成される。
【００６６】
＜一体タイプの第二工程について＞
この工程では、内外チューブ一体成形品３０の左右両側に切断加工（引用符号Ｄで示す部分）を施す。切断加工を施すことにより、内外チューブ一体成形品３０は外側チューブ１４と内側チューブ１５とに分離する（図６（ｂ）参照）。切断加工を施して外側チューブ１４と内側チューブ１５とに分離すると、これと同時にスリット２２、２９の形成が完了する。
【００６７】
＜一体タイプの第三工程について＞
この工程は、上記組み付けの第二工程と同じである。すなわち、内側チューブ１５の上に外側チューブ１４を重ね合わせた状態から、図３（ｂ）に示す如く、外側チューブ１４の長側部１８を下側に押し付けるようにして、作業者又は機械で押圧荷重を掛ける。この時、外側チューブ１４に撓み等の弾性変形が生じる。そして、所定の状態まで弾性変形が生じた後に嵌合し、外側チューブ１４の長側部１８の内面に内側チューブ１５のスリット２９が対向するとともに、内側チューブ１５の長側部２６の外面に外側チューブ１４のスリット２２が対向する状態になる。以上により、大小二重構造の平形コルゲートチューブ１２の製造が完了する。
【００６８】
続いて更に、平形コルゲートチューブ１２の更に他の例となる組み付け方法について説明をする。図８〜図１１は更に他の例となる組み付け方法を示す模式図である。
【００６９】
尚、更に他の例となる組み付け方法は、以下で説明する（１）〜（４）の四タイプがあり、図３を参照しながら説明した組み付け方法を、より具体化した方法になる。
【００７０】
＜他の例となる組み付け方法（１）〜（４）について＞
平形コルゲートチューブ１２は、次のような工程を経て組み付けられる。すなわち、組み付けの第一工程と、組み付けの第二工程とを順に経て組み付けられる。以下、簡単に説明をする。
【００７１】
＜他の例（１）：組み付けの第一工程について＞
図８（ａ）において、この工程では先ず、スリット２９を上にした状態に内側チューブ１５を準備する（導電路１３の収容に関しては説明を省略する）。次に、スリット２２を下にした状態で外側チューブ１４を準備し、そして、この外側チューブ１４を、スリット２２が内側チューブ１５のスリット２９に対向するように配置する。すなわち、内側チューブ１５の上側に外側チューブ１４を配置する（内側チューブ１５の上に外側チューブ１４を重ねる）。
【００７２】
＜他の例（１）：組み付けの第二工程について＞
この工程では、外側チューブ１４の長側部１８を下側に押し付けるようにして押圧荷重を掛ける。具体的には、作業者又は機械により長側部１８の全面に押圧荷重を掛ける。長側部１８の全面に押圧荷重を掛けると、この時、外側チューブ１４の全体に撓み等の弾性変形が生じる。そして、所定の状態まで弾性変形が生じた後に、瞬間的に乗り越え等が起こって嵌合し、組み付けが完了する。すなわち、外側チューブ１４の長側部１８の内面に内側チューブ１５のスリット２９が対向するとともに、内側チューブ１５の長側部２６の外面に外側チューブ１４のスリット２２が対向する状態（図８（ｂ）参照）になって、大小二重構造の平形コルゲートチューブ１２の組み付けが完了する。
【００７３】
＜他の例（２）：組み付けの第一工程について＞
図９（ａ）において、この工程では先ず、スリット２９を上にした状態に内側チューブ１５を準備する（導電路１３の収容に関しては説明を省略する）。次に、スリット２２を下にした状態で外側チューブ１４を準備する。この時、外側チューブ１４を、スリット２２が内側チューブ１５のスリット２９に対向するように配置する。すなわち、内側チューブ１５の上側に外側チューブ１４を配置する（内側チューブ１５の上に外側チューブ１４を重ねる）。
【００７４】
＜他の例（２）：組み付けの第二工程について＞
この工程では、外側チューブ１４の長側部１８を下側に押し付けるようにして押圧荷重を掛ける。具体的には、作業者又は機械により長側部１８の図中手前側に押圧荷重を掛ける。長側部１８の図中手前側に押圧荷重を掛けると、この時、外側チューブ１４の一部に、撓み等の弾性変形が生じる。そして、所定の状態まで弾性変形が生じた後に、図中手前側の部分で乗り越え等が起こって嵌合する（図９（ｂ）参照）。そして、図９（ｂ）に示す如く、管軸方向に沿ってスライドさせるようにして押圧荷重を掛け続けると、これに伴い上記同様の乗り越え等が起こって嵌合し、組み付けが完了する。すなわち、外側チューブ１４の長側部１８の内面に内側チューブ１５のスリット２９が対向するとともに、内側チューブ１５の長側部２６の外面に外側チューブ１４のスリット２２が対向する状態（図９（ｃ）参照）になって、大小二重構造の平形コルゲートチューブ１２の組み付けが完了する。
【００７５】
＜他の例（３）：組み付けの第一工程について＞
図１０（ａ）において、この工程では先ず、スリット２９を上にした状態に内側チューブ１５を準備する（導電路１３の収容に関しては説明を省略する）。次に、スリット２２を下にした状態で外側チューブ１４を準備する。この時、外側チューブ１４を、スリット２２の左側が内側チューブ１５のスリット２９の左側に対向するように配置する。またこの時に、外側チューブ１４を、この右側の円弧部２１が内側チューブ１５の右側の円弧部２８の外側に位置するように配置する。すなわち、円弧部２１、２８を仮係合させた状態に配置するとともに、内側チューブ１５の左上部分に外側チューブ１４の左下部分を重ねた状態に配置する。
【００７６】
＜他の例（３）：組み付けの第二工程について＞
この工程では、外側チューブ１４の長側部１８における左部分を下側に押し付けるようにして押圧荷重を掛ける。具体的には、作業者又は機械により長側部１８の左部分全体に押圧荷重を掛ける。長側部１８の左部分全体に押圧荷重を掛けると、この時、特に外側チューブ１４の左側に撓み等の弾性変形が生じる。そして、所定の状態まで弾性変形が生じた後に、瞬間的に乗り越え等が起こって嵌合し、組み付けが完了する。すなわち、外側チューブ１４の長側部１８の内面に内側チューブ１５のスリット２９が対向するとともに、内側チューブ１５の長側部２６の外面に外側チューブ１４のスリット２２が対向する状態（図１０（ｂ）参照）になって、大小二重構造の平形コルゲートチューブ１２の組み付けが完了する。
【００７７】
＜他の例（４）：組み付けの第一工程について＞
図１１（ａ）において、この工程では、上記他の例（３）の第一工程と同じことを行う。すなわち、先ず、スリット２９を上にした状態に内側チューブ１５を準備する（導電路１３の収容に関しては説明を省略する）。次に、スリット２２を下にした状態で外側チューブ１４を準備する。この時、外側チューブ１４を、スリット２２の左側が内側チューブ１５のスリット２９の左側に対向するように配置する。またこの時に、外側チューブ１４を、この右側の円弧部２１が内側チューブ１５の右側の円弧部２８の外側に位置するように配置する。すなわち、円弧部２１、２８を仮係合させた状態に配置するとともに、内側チューブ１５の左上部分に外側チューブ１４の左下部分を重ねた状態に配置する。
【００７８】
＜他の例（４）：組み付けの第二工程について＞
この工程では、外側チューブ１４の長側部１８を下側に押し付けるようにして押圧荷重を掛ける。具体的には、作業者又は機械により長側部１８の図中手前側に押圧荷重を掛ける。長側部１８の図中手前側に押圧荷重を掛けると、この時、外側チューブ１４の一部に、撓み等の弾性変形が生じる。そして、所定の状態まで弾性変形が生じた後に、図中手前側の部分で乗り越え等が起こって嵌合する（図１１（ｂ）参照）。そして、図１１（ｂ）に示す如く、管軸方向に沿ってスライドさせるようにして長側部１８の左側に押圧荷重を掛け続けると、これに伴い上記同様の乗り越え等が起こって嵌合し、組み付けが完了する。すなわち、外側チューブ１４の長側部１８の内面に内側チューブ１５のスリット２９が対向するとともに、内側チューブ１５の長側部２６の外面に外側チューブ１４のスリット２２が対向する状態（図１１（ｃ）参照）になって、大小二重構造の平形コルゲートチューブ１２の組み付けが完了する。
【００７９】
＜本発明の効果＞
以上、図１ないし図１１を参照しながら説明してきたように、本発明によれば、それぞれスリット２２、２９が形成された外側チューブ１４及び内側チューブ１５を有する大小二重構造の平形コルゲートチューブ１２であることから、複数本の導電路１３の収容を、スリット２９を介して内側チューブ１５に容易に行うことができるという効果を奏する。
【００８０】
また、本発明によれば、導電路１３を収容した状態の内側チューブ１５のスリット２９が外側チューブ１４によって覆われることから、さらには、この外側チューブ１４と内側チューブ１５の形状が平形になることから、曲げや振動等の影響を受けてもスリット２２、２９同士の位置が一致することはなく、結果、導電路１３の飛び出しを防止することができるという効果を奏する。
【００８１】
従って、本発明によれば、作業を容易にして工数削減を図ることが可能な、また、構造を複雑化せずに導電路１３の飛び出しを防止することも可能な、平形コルゲートチューブ１２（外装部材としてのコルゲートチューブ）を提供することができるという効果を奏する。
【００８２】
この他、本発明の上記製造方法によれば、二つのタイプの工程からなる製造方法があり、これら二つのタイプのうちいずれを採用しても、作業を容易にして工数削減を図ることができるという効果や、構造を複雑化せずに導電路の飛び出しを防止することができるという効果を奏する。
【００８３】
また、本発明の組み付け方法によれば、大小二重構造の平形コルゲートチューブ１２の組み付けを容易に行うことできるという効果を奏する。
【００８４】
さらに、本発明のワイヤハーネス１１によれば、上記効果の平形コルゲートチューブ１２を構成に含むことから、より良いものとしてワイヤハーネス１１を提供することができるという効果を奏する。
【００８５】
本発明は本発明の主旨を変えない範囲で種々変更実施可能なことは勿論である。
【符号の説明】
【００８６】
１１…ワイヤハーネス、  １２…平形コルゲートチューブ（コルゲートチューブ）、  １３…導電路、  １４…外側チューブ、  １５…内側チューブ、  １６…蛇腹凹部、  １７…蛇腹凸部、  １８、１９…長側部、  ２０、２１…円弧部、  ２２…スリット、  ２３…蛇腹凹部、  ２４…蛇腹凸部、  ２５、２６…長側部、  ２７、２８…円弧部、  ２９…スリット、  ３０…内外チューブ一体成形品、  ５１…外装部材製造装置、  ５２…樹脂押出部、  ５３…成形部、  ５４…冷却部、  ５５…切断部、  ５６…ホッパ、  ５７…押出部本体、  ５８…ダイス、  ５９…樹脂材押出口、  ６０…入口、  ６１…出口、  ６２…成形構造部、  ６３…樹脂材、  ６４…タイミングプーリー、  ６５…無端ベルト、  ６６…金型ブロック集合体、  ６７…金型ブロック、  ６８…内外チューブ一体成形品用金型、  ６９、６９′…上型、  ７０、７０′…下型、  ７１〜７６…成形部分
【図１】
2016111743.tif 000004
【図２】
2016111743.tif 000005
【図３】
2016111743.tif 000006
【図４】
2016111743.tif 000007
【図５】
2016111743.tif 000008
【図６】
2016111743.tif 000009
【図７】
2016111743.tif 000010
【図８】
2016111743.tif 000011
【図９】
2016111743.tif 000012
【図１０】
2016111743.tif 000013
【図１１】
2016111743.tif 000014
【図１２】
2016111743.tif 000015